【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
システム（１００）であって、
発電機制御ユニット（１６０）と、独立速度可変周波数（ＩＳＶＦ）発電機（１０２）のパイロット永久磁石発電機ステージ（１０８）との間の接続を開閉し、且つ前記発電機制御ユニットと外部電力源（１７０）との間の接続を開閉するように構成された第１のバス転送スイッチ（１５０）、
前記発電機制御ユニットから前記ＩＳＶＦ発電機の回転子（１０４）へ電力信号を送信するように構成された変圧器（１１０）、
前記発電機制御ユニットからの制御信号に応答して、前記回転子に取り付けられた主フィールド巻線（１３４）をモータ状態に設定するように構成されたインバータ（１３２）、及び
前記ＩＳＶＦ発電機の主電機子巻線（１３８）と配電バス（１９２）との間の接続を開閉し、且つ前記主電機子巻線と、前記主電機子巻線を通して電流を送信し、前記回転子を回転させてエンジンの起動を可能にする磁界パターンを生成するように構成されたモータ始動駆動器（１８０）との間の接続を開閉するように構成された第２のバス転送スイッチ（１９０）
を備えているシステム（１００）。
【請求項２】
前記変圧器が、固定子（１０６）に取り付けられた第１の巻線（１２２）、及び前記回転子に取り付けられた第２の巻線（１２８）を有する高周波（ＨＦ）変圧器（１１０）である、請求項１に記載のシステム。
【請求項３】
前記発電機制御ユニットが、周波数変換器（１６２）をさらに備え、前記周波数変換器（１６２）は、前記電力信号を変調してＨＦ電力信号を形成し、前記ＨＦ電力信号を用いて前記ＨＦ変圧器の前記第１の巻線を駆動することにより、前記回転子に取り付けられた前記第２の巻線において前記ＨＦ電力信号を受信させるよう構成されている、請求項２に記載のシステム。
【請求項４】
前記インバータが、
前記主フィールド巻線と整流電力信号配分肢線（２７０）との間の第１の組のスイッチ（２３０）、及び
前記主フィールド巻線と中性点電圧肢線（２７２）との間の第２の組のスイッチ（２４０）
を備えている、請求項１又は２に記載のシステム。
【請求項５】
前記主フィールド巻線が、３相ラインを含み、前記第１の組のスイッチが、３つのスイッチを含み、前記第２の組のスイッチが、３つのスイッチを含み、前記第１の組のスイッチの各スイッチが、前記３相ラインのそれぞれの相ライン上の前記第２の組のスイッチの対応するスイッチと対になる、請求項４に記載のシステム。
【請求項６】
前記第１の組のスイッチを開き、前記第２の組のスイッチを閉じて、誘導モータ等価回路を形成するように構成されたコントローラをさらに備えている、請求項４に記載のシステム。
【請求項７】
前記第１の組のスイッチのうちの１つのスイッチをパルス作動し、前記第１の組のスイッチの残りのスイッチを開き、前記第１の組のスイッチのうちの前記１つのスイッチと対になった前記第２の組のスイッチのうちの１つのスイッチを開き、前記第２の組のスイッチの残りのスイッチを閉じて、同期モータ等価回路を形成するように構成されたコントローラをさらに備えている、請求項４に記載のシステム。
【請求項８】
前記外部電力源が、バッテリ又は地上設置電源を含む、請求項１に記載のシステム。
【請求項９】
方法（５００）であって、
発電機制御ユニット（１６０）を独立速度可変周波数（ＩＳＶＦ）発電機（１０２）のパイロット永久磁石発電機ステージ（１０８）から切断すること（５０２）、
前記発電機制御ユニットを外部電力源（１７０）に接続すること（５０４）、
電力信号を前記発電機制御ユニットから前記ＩＳＶＦ発電機の回転子（１０４）へ伝送すること（５０６）、
前記回転子に取り付けられた主フィールド巻線（１３４）をモータ状態に設定すること（５０８）、
前記ＩＳＶＦ発電機の主電機子巻線（１３８）を配電バス（１９２）から切断すること（５１０）、
前記主電機子巻線をモータ始動駆動器（１８０）に接続すること（５１２）、及び
前記主電機子巻線を通して、前記モータ始動駆動器から電流パターンを送信して、前記回転子を回転させてエンジンの起動を可能にする磁界パターンを生成すること（５１４）
を含む方法。
【請求項１０】
前記エンジンの始動の後、前記発電機制御ユニットを前記外部電力源から切断すること、及び
前記発電機制御ユニットを前記パイロット永久磁石発電機ステージに接続すること
をさらに含む、請求項９に記載の方法。
【請求項１１】
前記エンジンの始動の後、前記ＩＳＶＦ発電機の前記主電機子巻線を前記モータ始動駆動器から切断すること、及び
前記主電機子巻線を前記配電バスに接続すること
をさらに含む、請求項９又は１０に記載の方法。
【請求項１２】
前記電力信号を前記発電機制御ユニットから前記ＩＳＶＦ発電機の前記回転子へ伝送することが、
前記電力信号を変調して、高周波（ＨＦ）電力信号を形成すること、
前記ＨＦ電力信号を用いて前記ＩＳＶＦ発電機の固定子（１０６）に取り付けられたＨＦ変圧器巻線（１２６）を駆動すること、及び
前記ＩＳＶＦ発電機の前記回転子に取り付けられたＨＦ変圧器巻線（１２８）において前記ＨＦ電力信号を受信すること
を含む、請求項９から１１のいずれか一項に記載の方法。
【請求項１３】
前記回転子に取り付けられた前記主フィールド巻線を前記モータ状態に設定することが、インバータ（１３２）のスイッチ（１５０、１９０）を誘導モータ等価回路を形成するように構成することを含む、請求項９から１２のいずれか一項に記載の方法。
【請求項１４】
前記インバータのスイッチを構成することが、
前記主フィールド巻線と整流電力信号配分肢線との間の第１の組のスイッチを開くこと、及び
前記主フィールド巻線と中性点電圧肢線との間の第２の組のスイッチを閉じること
を含む、請求項１３に記載の方法。
【請求項１５】
前記回転子に取り付けられた前記主フィールド巻線を前記モータ状態に設定することが、インバータ（１３２）のスイッチ（１５０、１９０）を同期モータ等価回路を形成するように構成することを含む、請求項９から１３のいずれか一項に記載の方法。
【請求項１６】
前記インバータのスイッチを構成することが、
前記主フィールド巻線と整流電力信号配分肢線との間の第１の組のスイッチのうちの１つのスイッチをパルス作動し、
前記第１の組のスイッチの残りのスイッチを開き、
前記第１の組のスイッチのうちの前記１つのスイッチと対になった、前記主フィールド巻線と中性点電圧肢線との間の第２の組のスイッチのうちの１つのスイッチを開き、
前記第２の組のスイッチの残りのスイッチを閉じること
を含む、請求項１５に記載の方法。
【請求項１７】
前記主電機子巻線を通して、前記モータ始動駆動器から前記電流パターンを送信することが、フィールド配向制御信号を生成すること、又は、直接トルク制御信号を生成することを含む、請求項９に記載の方法。
【請求項１８】
発電機の回転子に取り付けられた主フィールド巻線、
前記主フィールド巻線と整流電力信号配分肢線との間の第１の組のスイッチ、
前記主フィールド巻線と中性点電圧肢線との間の第２の組のスイッチ、並びに
前記第１の組のスイッチ及び前記第２の組のスイッチを制御して、エンジンの起動フェーズの間、前記主フィールド巻線をモータ状態に設定するように構成されたコントローラを備えているシステム。
【請求項１９】
前記主フィールド巻線が、前記モータ状態にあるときに、誘導モータ等価回路を形成する、請求項１８に記載のシステム。
【請求項２０】
前記主フィールド巻線が、前記モータ状態にあるときに、同期モータ等価回路を形成する、請求項１８に記載のシステム。